(57)【要約】  本発明は、制御された雰囲気で物品を保管するための装置に関し、保管される物品を受け入れることができる少なくとも１つの保管モジュールを有する。保管モジュールは、物品を配置するための少なくとも１つの棚を備えている。保管モジュールは、実質的に平行六面体の形状を有し、その間に棚が延設される実質的に垂直な対向した２つの壁を有する。この装置は、複数のシャッターを備えていることを特徴とし、各シャッターは、複数の棚の１つに向かい合って、２つの壁の一方と当該棚との間に配置され、シャッターの位置でガスが垂直に流れることを防止し、当該シャッターに関連した棚に沿って横方向にのみガスが流れることができるようにする。
2013541478.tif 000002
【特許請求の範囲】
【請求項１】
・保管される物品を収容可能で、上記物品をその上に配置する少なくとも１つの棚を備えた、少なくとも１つの保管モジュールと；
・上記モジュール内へガスを流入するための手段と；
・上記モジュールからガスを排出するための手段と；
を有する、制御された雰囲気で上記物品を保管するための装置であって、
・上記保管モジュールの少なくとも１つが、実質的に平行六面体の形状であり、２つの実質的に垂直な互いに対向する壁を有し、これら２つの壁の間に上記棚が延設されており、
・上記ガスを流入するための手段が、上記２つの壁のうちの１つを通って、上記モジュールの底部へ或いは上記モジュールの頂部へガスを注入することができるようにしてあり；
以下の手段を備えていることによって特徴づけられ：
・上記ガスを排出するための手段が：
ｉ）上記ガスを流入するための手段と同じ垂直な壁に設けられ、或いは、代りに、
ｊ）上記ガスを流入する手段が上記モジュールの上記底部に配置された場合に、上記排出する手段が上記モジュールの上記頂部に配置され、上記ガスを流入する手段が上記モジュールの上記頂部に配置された場合に、上記排出する手段が上記モジュールの上記底部に配置される事実をふまえて、上記モジュールの反対側にある上記他の垂直な壁に設けられ；
・上記保管モジュールが複数のシャッターを有し、各シャッターが、複数の上記棚の１つに面し、上記２つの壁の１つと当該棚との間に配置され、このシャッターの位置でガスが垂直に通過するのを防止し、当該シャッターに関連した上記棚に沿って横方向にのみガスが通過することを許容し；
そして、以下のことを特徴とする：
・上記保管モジュールがちょうど１つの棚を有する場合、上記保管モジュールは、上記ガスが流入する壁と当該棚との間で、当該棚に面して配置された、ちょうど１つのシャッターを有し、
・上記モジュールにある棚の数が偶数であり、また、上記ガスを排出するための手段がガスを流入するための手段と同じ壁に配置されている場合、上記ガスが流入して上記モジュールから排出される間のガスの循環に沿った上記モジュール内の最後の棚は、シャッターを有していない装置。
【請求項２】
棚に関連した上記シャッターは、当該棚それ自体から分離した機械的構成であるが、当該棚に固定され、当該棚に沿って延設されていることを特徴とする、請求項１に記載された制御された雰囲気で物品を保管するための装置。
【請求項３】
棚に関連した上記シャッターは、その構造において、当該棚それ自体の一部であることを特徴とする、請求項１に記載された制御された雰囲気で物品を保管するための装置。
【請求項４】
以下の手段を備えていることによって特徴づけられた、請求項１から３のうちの１つに記載された、制御された雰囲気で物品を保管するための装置であって：
・当該装置が、上記保管モジュールとの間で流体を流通可能に、上記保管モジュールの上記垂直な壁の一方で当該保管モジュールに連結して固定された、少なくとも１つのテクニカルモジュールを有し；
・上記ガスを流入するための手段が、上記テクニカルモジュール内にガスが到達することを許容し、そこから、上記テクニカルモジュールと共通の壁を通して、上記モジュールの底部或いは上記モジュールの頂部へ注入し；
・上記ガスを排出するための手段が、上記ガスを流入するための手段と同じ壁に配置され、上記ガスを上記保管モジュールから上記テクニカルモジュールへ排出すること、およびこのテクニカルモジュールから外部へ排出することを許容する装置。
【請求項５】
以下の手段の実行よって特徴づけられた、請求項１から３のうちの１つに記載された、制御された雰囲気で物品を保管するための装置であって：
・当該装置が、上記保管モジュールとの間で流体を流通可能に、上記保管モジュールの上記垂直な壁の一方で当該保管モジュールに連結して固定された、少なくとも１つのテクニカルモジュールを有し；
・上記ガスを流入するための手段が、上記テクニカルモジュール内にガスが到達することができるようにし、そこから、上記テクニカルモジュールと共通の壁を通して、上記モジュールの底部或いは上記モジュールの頂部へ注入し；
・当該装置が、上記テクニカルモジュールと共通の壁で、同様に、上記保管モジュールに連結して固定された、少なくとも１つのガス収集および排出モジュールを有し、上記ガスを排出する手段が、上記ガスを上記保管モジュールから上記収集モジュールへ排出すること、およびこの収集モジュールから外部へ排出することができるようにする装置。
【請求項６】
上記ガス収集および排出モジュールは、上記保管モジュールから排出されたガスが上記収集モジュールから上記テクニカルモジュールへ通過することを防止する少なくとも１つの逆止弁を備えていることを特徴とする、請求項５に記載された制御された雰囲気で物品を保管するための装置。
【請求項７】
請求項４に記載された制御された雰囲気で物品を保管するための装置であって、
いくつかの保管モジュールを有し、これら保管モジュールは物品のための所望される保管容量を得るために重ね合わされ、各保管モジュールに関連したテクニカルモジュールがあり、テクニカルモジュールが対応する保管モジュールに流体を流通可能にその垂直な壁のうちの１つで連結されて固定され、ガスを流入するための手段は、各テクニカルモジュールへガスが到達することができるようにし、そこから、当該テクニカルモジュールと対応する保管モジュールに共通の壁を通して当該保管モジュールの底部或いは頂部へ注入され、ガスを排出するための手段は、上記ガスを注入するための手段と同じ壁に配置され、ガスが上記保管モジュールから上記関連したテクニカルモジュールへ排出され、そこから外部へ排出されることができるようにすることを特徴とする装置。
【請求項８】
請求項５に記載された制御された雰囲気で物品を保管するための装置であって、
いくつかの保管モジュールを有し、これら保管モジュールは物品のための所望される保管容量を得るために重ね合わされ、各保管モジュールに関連したテクニカルモジュールがあり、テクニカルモジュールが対応する保管モジュールに流体を流通可能にその垂直な壁のうちの１つで連結されて固定され、ガスを流入するための手段は、各テクニカルモジュールへガスが到達することができるようにし、そこから、当該テクニカルモジュールと対応する保管モジュールに共通の壁を通して当該保管モジュールの底部或いは頂部へ注入され、各保管モジュールに関連したガス収集および排出モジュールがあり、ガス収集および排出モジュールが、同様に、上記テクニカルモジュールと共通の同じ垂直な壁で保管モジュールに連結されて固定され、上記ガスを排出する手段は、ガスが上記保管モジュールから当該保管モジュールに関連する上記収集モジュールへ排出され、そこから外部へ排出されることができるようにすることを特徴とする装置。
【請求項９】
上記収集モジュールは、各保管モジュールから排出されたガスの全てが戻される単一の中空な垂直カラムを形成することを特徴とする、請求項８に記載された制御された雰囲気で物品を保管するための装置。
【請求項１０】
上記ガスを流入するための手段は、電気的な構成を除外して、気体のタイプの構成だけを有することを特徴とする、先行する請求項の１つに記載された制御された雰囲気で物品を保管するための装置。
【発明の詳細な説明】
【発明の概要】
【０００１】
本発明は、制御された雰囲気で物品を保管するための装置の分野に関する。
【０００２】
確かに、産業の多くの部門（エレクトロニクス産業、それどころか食料のような、あるいは代りに製薬産業のような）では、多くの物は、その使用を待つ間、或いは製造プロセスに供されるまで、制御された雰囲気（例えば、乾燥した空気、あるいは代わりに余分な酸素や余分な水蒸気の所定の制限された含有量だけを含む窒素の雰囲気）内で、多かれ少なかれ一時的に保管する必要があることが知られている。したがって、エレクトロニクス産業を例に挙げると、窒素雰囲気の下で、或いは乾燥した空気の下で、製造プロセスに供されるエレクトロニクス部品を保管するための手段が、一般に見られる。例えば、それは、プリント回路を、それが組み立てられる前に保管するための手段であり、或いは、代わりに、ベアチップを、それが電子ボードに取り付けられる前に保管するための手段である。
【０００３】
さらに、この産業で見られるものは、乾燥した空気の下で、あるいは窒素雰囲気の下で、次のようなエレクトロニクス部品を保管するための手段である。つまり、このエレクトロニクス部品は、製造を中止した、或いは戦略上重要なものとして、制限されることができる部品であり、ユーザーが、来たるべき年に手に入れることができることを確信できない、そして、ユーザーが、とても簡単に、自身の長期的なストックを作成する部品である。
【０００４】
このような保管オペレーションが、部品と大気との間のどんな相互作用をも避けるために必要であることが正しく認識されている。鍵となるリスクは、部品が大気から水気を吸収すること、部品の金属部分の酸化、或いはプリント回路トラックの酸化、プラスティック封入ケースによる水分の吸収、或いは、代りに、ある汚染する粒子の大気中での反応（ハロゲン化された混合物など）に関連する。
【０００５】
さらに、このような保管スペースにある技術的問題の１つが、これらの装置が短い時間使用されることであることが知られている。つまり、この短い時間とは、ユーザーサイトからの要求があったときに保管部材に部品を導入し或いは保管部材から部品を取り除くこと、すなわち保管モジュールがしばしば、ときどきは１時間に数回、開閉されることを意味する。
【０００６】
このタイプの多くの装置が市場で現在利用可能であり、これらの装置に関するおびただしい数の文献（特に、文献ＦＲ−２８７７６４１、ＥＰ−１３３３４６９、ＦＲ−２８０３６４７、あるいは、代わりに、ＥＰ−１１０２７１３に研究がなされる）があるにも関わらず、出願人の会社は、自身で、本発明を通して、次のような効果と改良を与える新規な装置を提案した：
・コスト削減のための既存のシステムの単純化；
・モジュール方式（単一の保管モジュール、或いは重ね合わせができるいくつかのモジュールの使用、同時に、モバイル装備（ポイントＡからポイントＢまで物品を移動する）としてユーザーがこのモジュールを使用できること）の受け入れ：
・既存のシステムに関するパフォーマンスの改善；
・単純性と低価格のこれらの条件の下での無欠のレベルの安全性の維持。
【０００７】
以下により詳細に示されるように、本発明は、特に、その実施例の１つとして、保管モジュールの新規な構造を提案する。その保管モジュールは、保管設備内にガスの最適且つ制御された循環を生じ、特に、循環デッドゾーンを避ける。そして、この循環が、複数の「シャッター」を有するシステムの存在を通して達成され、各シャッターは、複数の棚の１つに配置され、モジュールの壁の１つと該当する棚の間に設けられる。これにより、ガスがシャッターの位置で垂直に通過することを防止し、該当するシャッターに関連した棚に沿って横方向にのみガスが通過することができるようにする。
【０００８】
それゆえに、本願発明は、制御された雰囲気で物品を保管するための装置に関し、この装置は：
・保管される物品を収容可能で、上記物品をその上に配置する少なくとも１つの棚（好ましくは少なくとも２つの棚）を備えた、少なくとも１つの保管モジュールと；
・上記モジュール内へガスを流入するための手段と；
・上記モジュールからガスを排出するための手段と；を有し、
・上記保管モジュールの少なくとも１つが、実質的に平行六面体の形状であり、２つの実質的に垂直な互いに対向する壁を有し、これら２つの壁の間に上記棚が延設されており、
・上記ガスを流入するための手段が、上記２つの壁のうちの１つを通って、上記モジュールの底部へ或いは上記モジュールの頂部へガスを注入することができるようにし；
以下の手段を備えていることによって特徴づけられ：
・上記ガスを排出するための手段が：
ｉ）上記ガスを流入するための手段と同じ垂直な壁に設けられ、或いは、代りに、
ｊ）上記ガスを流入する手段が上記モジュールの上記底部に配置された場合に、上記排出する手段が上記モジュールの上記頂部に配置され、上記ガスを流入する手段が上記モジュールの上記頂部に配置された場合に、上記排出する手段が上記モジュールの上記底部に配置される事実をふまえて、上記モジュールの反対側にある上記他の垂直な壁に設けられ；
・上記保管モジュールが複数のシャッターを有し、各シャッターが、複数の上記棚の１つに面し（facing）、上記２つの壁の１つと当該棚との間に配置され、このシャッターの位置でガスが垂直に通過するのを防止し、当該シャッターに関連した上記棚に沿って横方向にのみガスが通過することができるようにし；
そして、以下のことを特徴とする：
・上記保管モジュールがちょうど１つの棚を有する場合、上記保管モジュールは、上記ガスが流入する壁と当該棚との間で、当該棚に面して配置された、ちょうど１つのシャッターを有し、
・棚の数が１より大きく、上記ガスを排出するための手段がガスを流入するための手段と同じ壁に配置されており、上記モジュールにある棚の数が偶数である場合、上記ガスが流入して上記モジュールから排出される間のガスの循環に沿った上記モジュール内の最後の棚は、シャッターを有していない。
【０００９】
本発明のいくつかの有利な実施例によれば、この発明は、次の技術的特徴の１つ以上を採用してもよい：
・棚に関連した上記シャッターは、当該棚それ自体から分離した機械的構成であるが、当該棚に固定され、当該棚に沿って延設されている；
・棚に関連した上記シャッターは、その構造において、当該棚それ自体の一部である；
・当該装置は、上記保管モジュールとの間で流体を流通可能に、上記保管モジュールの上記垂直な壁の一方で当該保管モジュールに連結して固定された、少なくとも１つのテクニカルモジュールを有し；上記ガスを流入するための手段が、上記テクニカルモジュール内にガスが到達することができるようにし、そこから、共通の壁を通して、上記モジュールの底部或いは上記モジュールの頂部へ注入し；上記ガスを排出するための手段が、上記ガスを流入するための手段と同じ壁に配置され、上記ガスを上記保管モジュールから上記テクニカルモジュールへ排出すること、およびこのテクニカルモジュールから外部へ排出することができるようにし；
当該装置は、
・上記保管モジュールとの間で流体を流通可能に、上記保管モジュールの上記垂直な壁の一方で当該保管モジュールに連結して固定された、少なくとも１つのテクニカルモジュールを有し、上記ガスを流入するための手段が、上記テクニカルモジュール内にガスが到達することができるようにし、そこから、上記テクニカルモジュールと共通の壁を通して、上記モジュールの底部或いは上記モジュールの頂部へ注入し、当該装置が、上記テクニカルモジュールと共通の壁で、同様に、上記保管モジュールに連結して固定された、少なくとも１つのガス収集および排出モジュールを有し、上記ガスを排出する手段が、上記ガスを上記保管モジュールから上記収集モジュールへ排出すること、およびこの収集モジュールから外部へ排出することができるようにし；
・上記ガス収集および排出モジュールは、上記保管モジュールから排出されたガスが上記収集モジュールから上記テクニカルモジュールへ通過することを防止する少なくとも１つの逆止弁を備えており；
・上記保管装置は、いくつかの保管モジュールを有し、これら保管モジュールは物品のための所望される保管容量を得るために重ね合わされ、各保管モジュールに関連したテクニカルモジュールがあり、テクニカルモジュールが対応する保管モジュールに流体を流通可能にその垂直な壁のうちの１つで連結されて固定され、ガスを流入するための手段は、各テクニカルモジュールへガスが到達することができるようにし、そこから、当該テクニカルモジュールと対応する保管モジュールに共通の壁を通して当該保管モジュールの底部或いは頂部へ注入され、ガスを排出するための手段は、上記ガスを注入するための手段と同じ壁に配置され、ガスが上記保管モジュールから上記関連したテクニカルモジュールへ排出され、そこから外部へ排出されることができるようにし；
上記保管装置は、いくつかの保管モジュールを有し、これら保管モジュールは物品のための所望される保管容量を得るために重ね合わされ、各保管モジュールに関連したテクニカルモジュールがあり、テクニカルモジュールが対応する保管モジュールに流体を流通可能にその垂直な壁のうちの１つで連結されて固定され、ガスを流入するための手段は、各テクニカルモジュールへガスが到達することができるようにし、そこから、当該テクニカルモジュールと対応する保管モジュールに共通の壁を通して当該保管モジュールの底部或いは頂部へ注入され、各保管モジュールに関連したガス収集および排出モジュールがあり、ガス収集および排出モジュールが、同様に、上記テクニカルモジュールと共通の同じ垂直な壁で保管モジュールに連結されて固定され、上記ガスを排出する手段は、ガスが上記保管モジュールから当該保管モジュールに関連する上記収集モジュールへ排出され、そこから外部へ排出されることができるようにし；
・上記装置の上記収集モジュールは、各保管モジュールから排出されたガスの全てが戻される単一の中空な垂直カラムを形成する。
【００１０】
本発明の１つの好ましい実施例によれば、ガスの注入および排出を制御するための手段は、電気的な構成を含まず；それらは、全て気体のタイプ（特に、電気的に作動されるどんなバルブもない）である。
【図面の簡単な説明】
【００１１】
本発明のさらなる特徴および利点は、以下の説明でより明らかになる。説明は、添付図面に関して与えられた全体として制限のない図面によって与えられる。
【図１】図１は、従来技術の棚のある保管モジュールを示す正面部分概略図であり、このモジュールは、空間の壁の１つと棚の間にこの壁に沿ってガスのための好ましい流路を作成する。
【図２】図２は、奇数個の棚（この実施例では単一の棚）を用いた、本発明による装置の正面部分概略図である。
【図３】図３は、奇数個の棚（この実施例では５つの棚）を用いた、本発明による装置の正面部分概略図である。
【図４】図４は、本発明によらない装置（ガスによって掃かれないデッドゾーンを作る偶数個の棚）の正面部分概略図である。
【図５】図５は、図４と同じ数の棚を用いた、本発明による装置の正面部分概略図である。
【図６】図６は、本発明による装置の部分概略図であり、この図は、保管ゾーン、テクニカルゾーン、および収集ゾーンを具体化する方法のうちの１つを示す。
【００１２】
図１は、先行技術のある装置によってもたらされる不利益の完全な図であり、保管モジュールの同じ壁で窒素が流入してガスが排出され、ガスのための好ましい流路がこの壁と棚の間にあり、もちろん、いくらかのガスがモジュール内を循環して棚の間を流れるが、モジュールのいくらかのゾーンが不可避に十分にカバーされない（掃かれない）ことが認識されている。
【００１３】
一方、図２は、単一の棚を備えたモジュールを用いた、本発明による装置（部分的に見た）を通して、本発明によって与えられた改良の良い図面である。棚は、その左手部分に、すなわちガス入口壁と棚の間にシャッターを備えている（最初の構造によって、あるいは後付けの構成によって）。
【００１４】
この実施例では、ガスを排出するための手段は、ガスを流入するための手段と同じ垂直の壁に位置しており、ガスが頂部から排出される一方で、流入する手段は、モジュールの底に位置している。このように単一の棚の場合、ここに図示したように、ガス入口およびガス排出口がモジュールの同じ壁に置かれることが、本発明にとって確かに好ましい。
【００１５】
さらに、この単一のシャッターをどのように使うのかを見ることは全く簡単であり、ガスは、シャッターの位置で垂直にすなわちガス入口壁に沿って通過することを妨げられ、ガスは、当該シャッターに関連した棚に沿って横方向にのみ通過ができるようにされ、その後、ガスは、棚の他の面に沿って進むことができる棚の反対側の端部に到達し、ガスは、それゆえに、掃かれないデッドゾーンをなくすため、棚の両面に沿って進むことができる。
【００１６】
当業者にとって全く明らかであるように、ここで描かれた図は装置の深さを表わしていない一方で、なるべくなら、本発明による全ての装置に、保管モジュールの後ろ壁（背壁）に対向する棚の端部、およびモジュール内で可能な限り前方へ突出し同時にフロントドアを閉じることができるようにすることが正しく認識され、この目的が、モジュールのフロントおよびバックで、ガスの「損失」を最小化し、複数のシャッターのセットによって発明によって作成された好ましい流路に沿った循環における対応する減少を引き起こす。
【００１７】
図３のその部分は、本発明によって与えられた利点の明瞭な図面を提供し、本発明による５棚モジュールを用いた装置（部分的に見た）の各棚はシャッターを備えている（最初の構造によって、あるいは後付けの構成を介して）。
【００１８】
この実施例では、ガスを排出するための手段は、ガスを流入するための手段と同じ垂直の壁に位置しており、ガスが頂部から排出される一方で、流入する手段は、モジュールの底に位置している。
【００１９】
さらに、これらの複数のシャッターをどのように使うのかを見ることは全く簡単であり、各シャッターは、シャッターの位置でガスが垂直に通過することを妨げ、ガスが当該シャッターに関連した棚に沿って横方向にのみ通過することができるようにし、その後、ガスは、２つの棚の間で複数の棚に沿って進み、掃かれないデッドゾーンをなくす。
【００２０】
図４のその部分は、本発明によらない装置の図面を提供し：この装置は、偶数個（４個）の棚を使用し、最後の棚は、本発明の長所のように、シャッターを備えており、この最後の棚の上にガスが上昇することを防止し、それにより、頂部において、ガスによって掃かれないデッドゾーンを形成し、それは、もちろん不利益である。
【００２１】
それと比較して、図５の装置は、それ自身が、４つの棚と同じ数（偶数）を有する本発明による装置であるが、ガスが通過する最後の棚でシャッターを使用せずに、ガス入口から装置内へ入りその出口へ流れるガスの完全な循環を許容し、その中の全ての空間がガスによって掃かれる。
【００２２】
図６は、それ自体が本発明の実施例の１つを示し、その装置は、適当な保管モジュールに加えて、テクニカルモジュールを有する。このテクニカルモジュールは、保管モジュールの左手側の垂直な壁で、保管モジュールと流体を流通可能に接続し、且つ保管モジュールに固定される。また、この装置は、テクニカルモジュールと共通な同じ左手側の垂直壁で保管モジュールに同様に隣接し且つ固定されたガス収集および排出のためのモジュールを有する。保管モジュールからガスを排出するための手段は、保管モジュールから収集モジュールへガスが排出されることができるようにし、この収集モジュールへ接続されたここでは図示しないパイプを介して外部へ排出されることができるようにする。
【００２３】
図６のテクニカルモジュールおよび収集モジュールの２つを有する、完全な気体のデザインにおける本発明の１つの有利な実施例は、以下に説明される：
・人やハードウェアにリスクを生じることができる過度の過剰圧力のリスクを減らすため、２つのバックプレッシャー調整装置（上流の圧力調整装置）が、収集モジュールで使用される：
・第１のバックプレッシャー調整装置は、キャビネット内で僅かに上昇した圧力、一般に２ｍｂａｒのオーダー圧力を維持する；
・この第１の、２ｍｂａｒの、バックプレッシャー調整装置が作動しなくなると、例えば、１０ｍｂａｒの第２のバックプレッシャー調整装置が引き継ぐ；
・また、これらの両方のバックプレッシャー調整装置が作動せず（けれども、正直なところ、そのような状況は極めて稀であるが）、或いは、代わりに、ユーザー抽出ネットワークがうまく作動しない場合、保管モジュールの前面のドアにシールがフィットされ、そしてこのシールがそのシーリング動作を例えば１５ｍｂａｒより高い限界圧力でロスするような予防措置がある。
【００２４】
・特別な、いわゆる「圧縮」ドアハンドルは、保管ゾーンの前面のドアに使用され、保管ゾーンの内側で異常に上昇された圧力がある場合にドアが開かれたときに、ドアでユーザーが打たれるリスクを除去し、このドアハンドルの動作は以下に要約される：
・ユーザーがドアハンドルを回す第１段階では、最初の減圧が実行されるが、ドアはその位置に保持され、すなわち、シールがそのシール動作をなくすことで、ドアが少し開かれるが、ドアハンドルの構造の一部を形成するキャッチによって、ドアが保持される；
・ユーザーがドアハンドルを回す第２段階では、ユーザーがキャッチを開き、このとき、ドアが開かれることを可能にする。
【００２５】
そのようなドアハンドルは、例えば、「ＥＭＫＡ」から入手可能である。
【００２６】
・テクニカルモジュールは流体密（fluidtight）であり：保管モジュールへ供給するため、テクニカルモジュール内にある減圧器の下流の要素の１つが接続しなくなり、ガス流量が測定されたオリフィスによって制限され、同様に減圧器の下流のテクニカルモジュール内に存在し、全ての残りのガス流量が収集モジュールへ仕向けられ、そこから、テクニカルモジュールと収集モジュールとの間の共通な壁に位置する１つ或いはそれ以上の逆止弁を介して、抽出スリーブへ向けられる；
・この装置は、窒素の供給源、例えばユーザーサイトの窒素ネットワーク（それはモジュール内でその製品を保管する）へ接続され、その最大の許された圧力は、例えば１５バールである。装置の動作に必要な気体の成分の全ては、例えば、クイックフィットカップリングを用いて組み立てられたチューブによって互いに連結される。
【００２７】
手動バルブが装備の全てへの供給を制御し、このバルブは、例えば、テクニカルモジュールの前面或いは背面に置かれてもよい。フィルター（２０μｍの濾過分離）は、全ての構成を保護するために存在してもよい。
【００２８】
・減圧器の下流にある測定されたオリフィス、或いは有利な実施例による２つの測定されたオリフィスに関連した減圧器内の圧力の調整は、２つの窒素流量が、例えば、１０Ｎｍ３／ｈに近いパージ流量および１Ｎｍ３／ｈに近い掃く流量にセットされることを意味する。
【００２９】
早い時期に既に指摘されたように、減圧器の下流に配置された測定されたオリフィスは、下流のチューブが接続されなくなる場合、窒素の流量を制限する。
【００３０】
・ドアコンタクトスイッチは、いずれにせよ、ドアが閉じているか開いているかどうか（パージ流量、低い掃く流量）によって運ばれた２つの窒素流量に制御を与える。
【００３１】
測定されたオリフィスの選択を通じてそれらの両方を調節することができるパージ流量および掃く流量は、ドアの閉塞によって引き金を引かれ、このパージ流量の持続は（調整可能な）気体タイマーによってセットされ、そして、パージ流量（だけ）が止まる場合、掃く流量が残る。
【００３２】
・ドアが開かれた場合、パージ流量および掃く流量の両方が止まる。
【００３３】
したがって、本発明の長所は、当業者にとって全く明らかであり：
・ここで提案された構造は非常に単純で、製造コストの面で著しい減少を与え、本発明の好適な実施例による事実を述べることなく、気体（流体）の手段を採用して、ガスの使用を制御する電気的手段をなくし、使用する構成の数の減少および構成の仕入れコスト（例として、電気的に動作されるバルブのコストは、当業者がよく知っているように、非常に高い）の著しい低下を引き起こす。「気体の」好ましい実施例がさらに電気的な障害を除去することはさらに注目されるでしょう；
・ここで提案された構造は、モジュール方式を可能にし、明白に示されたように、保管モジュールが重ね合わされることができるようにし、収集モジュールを含む本発明によって提案された構造の１つを用いた簡略化された排出を可能にする。収集モジュールは、この装置の各保管モジュールから排出されたガスの全てが戻される単一の中空の垂直カラムを形成する；
・本発明の実施例のうちの１つが純粋に気体の実施例であるように、本発明の装置は、非常に簡単に移動可能である。つまり、装置が移動される一方で、装置に窒素シリンダーを極めて容易に接続することが可能で、他の動力源が要求されない（完全に動力が流体によるものである）。
【００３４】
・不活性に関する、あるいは制御された雰囲気の維持（例えば露点での）に関するパフォーマンスは関係がなく：クレームされた構造のおかげで、各ゾーンがそれぞれ掃かれ、掃かれない空間が避けられ、保管モジュールのパージが自動的にはるかに有効である。
【図１】
2013541478.tif 000003
【図２】
2013541478.tif 000004
【図３】
2013541478.tif 000005
【図４】
2013541478.tif 000006
【図５】
2013541478.tif 000007
【図６】
2013541478.tif 000008
【国際調査報告】
2013541478.tif 000009
2013541478.tif 000010
2013541478.tif 000011
2013541478.tif 000012
2013541478.tif 000013
2013541478.tif 000014